(57)【要約】【課題】  マンホールの改修工事において、マンホール枠周囲の舗装の撤去後に、改修用のマンホール枠を設置するにあたり、該マンホール枠の上縁と道路の舗装上面との高さ位置を簡単に調整可能とする。【解決手段】  既設マンホール枠周囲の道路を平面から見て円形等、断面円弧状等に切断する工程と、切断した既設マンホール枠周囲の道路並びに既設マンホール枠および蓋を撤去する工程と、マンホール枠設置具１２に改修用マンホール枠２１を保持させて、接地板１６の高さ位置とマンホール枠２１の上縁２１ａの高さ位置とを一致させる工程と、道路の空間部Ｓ周縁にマンホール枠設置具１２の接地板１６を載置すると共にマンホール枠２１を前記空間部Ｓ内に配置する工程と、アンカーボルト３４を介してマンホール枠２１を下枡３に固定する工程と、マンホール枠２１周囲の空間に舗装材２３等を充填する工程とを有するものとする。【選択図】  図６
2009024446.tif 000002
【特許請求の範囲】
【請求項１】
マンホール枠を保持するマンホール枠支持手段と、道路の上面に載置される接地板を有し、マンホール枠支持手段または接地板の少なくとも一方にその高さ位置の調整手段が設けられ、接地板の高さ位置とマンホール枠の上縁の高さ位置とが一致可能となされている、マンホール枠設置具。
【請求項２】
平面から見てリング状の主体と、主体から下方に伸びる複数の脚体とを備え、脚体の先端部には雄ネジを有する軸がほぼ垂直にネジ嵌合され、接地板は前記軸の下端に一体に設けられており、マンホール枠支持手段は主体から垂下するアーム状のマンホール枠支持部とマンホール枠を係止する爪部を有している、請求項１記載のマンホール枠設置具。
【請求項３】
主体に、ロープ等を掛けるための懸吊部が設けられている、請求項２記載のマンホール枠設置具。
【請求項４】
主体が平面から見て円形のリング状であって、脚体が３本あり、それらが主体に等間隔で設けられている、請求項２または請求項３記載のマンホール枠設置具。
【請求項５】
請求項１〜請求項４のうちのいずれか一項記載のマンホール枠設置具を用いたマンホールの改修工法であって、マンホール枠周囲の道路を平面から見て方形または円形、断面直線状または円弧状に切断する工程と、切断したマンホール枠周囲の道路並びにマンホール枠および蓋を撤去する工程と、マンホール枠設置具にマンホール枠を保持させて、接地板の高さ位置とマンホール枠上縁の高さ位置とを一致させる工程と、前記撤去工程後の道路の空間部周縁にマンホール枠設置具の接地板を載置すると共にマンホール枠を前記空間部内に配置する工程と、アンカーボルトを介してマンホール枠をマンホールの下枡に固定する工程と、マンホール枠周囲の空間に舗装材等を充填する工程とを有する、マンホールの改修工法。
【発明の詳細な説明】
【技術分野】
【０００１】
本発明は、既設のマンホールの改修工法およびこれに用いるマンホール枠設置具に関する。
【背景技術】
【０００２】
道路におけるマンホール蓋および枠並びにその周囲の舗装が長年の自動車の通行等によって老朽化すると、自動車やバイク等の円滑な通行が行えなくなることから、マンホール蓋および枠の取替えを行うと共にその周囲の舗装の改修工事を行う必要がある。
【０００３】
従来、この種工事としては、マンホール蓋の中心を中心として、回転円弧状または球面状のカッターを、マンホール枠の周囲に３６０°回転させて切り込みを入れる舗装切断工程と、前記舗装切断工程で形成された切込み等による擬似円環状の切断片を形成する切断片形成工程と、前記切断片形成工程で得られた切断片を除去する切断片除去工程と、下枡の上面を清掃し、アンカーボルトを設置してマンホール蓋受枠の高さを調整するアンカーボルト設置工程と、前記アンカーボルト設置工程におけるアンカーボルトを介して新たな蓋受枠を取り付ける蓋受枠取付工程と、前記擬似円環状の切断片を除去して形成される空間に、路盤材、調整部材、表層材を充填する材料充填工程と、よりなるマンホール蓋枠取替え工法が知られている。
【特許文献１】特開２００６−２３３７５４
【発明の開示】
【発明が解決しようとする課題】
【０００４】
前述した工法は、要するに、既設のマンホール枠の周囲における舗装を平面から見て円形状にくり貫いて該くり貫き部分を撤去した後、その空間部における下枡に高さ調整とマンホール枠の固定の機能を有するアンカーボルトを打ち込んで該アンカーボルトの長さ調整によってマンホール枠の上縁と道路の舗装上面との高さ位置を合わせた後、最終的にマンホール枠周囲の空間に路盤材等を打設するようにしたものである。
【０００５】
しかしながら、前述した工法においては、マンホール枠の上縁と道路の舗装上面との高さ位置を調整するのに、前記円形状にくり貫かれた舗装の狭い空間内に作業者が手を入れてアンカーボルトの長さ調整作業を行わなければならず、またマンホール枠の上縁と道路の舗装上面との高さ位置は作業者の目線より低いため、作業者の目視だけでは、マンホール枠の上縁と道路の舗装上面との高さ位置を正確に合わせることが難しいという問題があった。
【０００６】
本発明の目的は、マンホール枠の周囲の舗装の切断撤去後において、その空間に改修用のマンホール枠を設置するにあたり、該マンホール枠の上縁と道路の舗装上面との高さ位置を簡単に合わせることができるマンホールの改修工法およびこれに用いるマンホール枠設置具を提供することにある。
【課題を解決するための手段】
【０００７】
請求項１記載の本発明は、マンホール枠を保持するマンホール枠支持手段と、道路の上面に載置される接地板を有し、マンホール枠支持手段または接地板の少なくとも一方にその高さ位置の調整手段が設けられ、接地板の高さ位置とマンホール枠の上縁の高さ位置とが一致可能となされているマンホール枠設置具である。
【０００８】
請求項２記載の本発明は、前記請求項１記載のマンホール枠設置具について、平面から見てリング状の主体と、主体から下方に伸びる複数の脚体とを備え、脚体の先端部には雄ネジを有する軸がほぼ垂直にネジ嵌合され、接地板は前記軸の下端に一体に設けられており、マンホール枠支持手段は主体から垂下するアーム状のマンホール枠支持部とマンホール枠を係止する爪部を有していることを特徴とするものである。
【０００９】
請求項３記載の本発明は、請求項２記載のマンホール枠設置具について、主体に、ロープ等を掛けるための懸吊部が設けられていることを特徴とするものである。
【００１０】
請求項４記載の本発明は、前記請求項２または請求項３記載のマンホール枠設置具について、主体が平面から見て円形のリング状であって、脚体が３本あり、それらが主体に等間隔で設けられていることを特徴とするものである。
【００１１】
請求項５記載の本発明は、請求項１〜請求項４のうちのいずれか一項記載のマンホール枠設置具を用いたマンホールの改修工法であって、マンホール枠周囲の道路を平面から見て方形または円形、断面直線状または円弧状に切断する工程と、切断したマンホール枠周囲の道路並びにマンホール枠および蓋を撤去する工程と、マンホール枠設置具にマンホール枠を保持させて、接地板の高さ位置とマンホール枠上縁の高さ位置とを一致させる工程と、前記撤去工程後の道路の空間部周縁にマンホール枠設置具の接地板を載置すると共にマンホール枠を前記空間部内に配置する工程と、アンカーボルトを介してマンホール枠をマンホールの下枡に固定する工程と、マンホール枠周囲の空間に舗装材等を充填する工程とを有するものである。
【発明の効果】
【００１２】
本発明に係るマンホール枠設置具を用いたマンホールの改修工法によれば、マンホール枠周囲の道路舗装を切断し、その切断部の内側（マンホール枠および蓋を含む）を撤去した後、その空間部に、マンホール枠の上縁と接地板の上縁との両高さ位置が予め一致されたマンホール枠設置具を配置するだけで、マンホール枠の上縁と前記空間部周囲の道路上面の高さ位置（レベル）が一致することとなるため、従来工法のように、狭い空間部内でアンカーボルトの高さ調整作業を行う必要もない。また、本発明に係るマンホール枠設置具によれば、作業者の目線でマンホール枠の上縁と接地板の上縁との両高さ位置を予め一致させておくことができるため、最終的なマンホール枠上縁と道路上面との高さ位置調整が簡単且つ正確に行える。
【発明を実施するための最良の形態】
【００１３】
次に、本発明に係るマンホールの改修工法およびこれに用いるマンホール枠設置具の実施形態を図面にしたがって説明するが、本発明は係る実施形態に限定されるものではない。
【００１４】
図１に示すように、先ずマンホールの構造について説明すると、１は砕石等で構成された下層路盤、２がマンホール、３はマンホール２の周囲に設けられた円筒状の下枡、４は下枡３上に形成された据付基礎、５は据付基礎４上に設けられたマンホール枠、６はマンホール枠５の上部開口を閉止するマンホール蓋、７は下層路盤１上に形成された舗装路盤を示す。
【００１５】
次に、前記構造のマンホール２の改修工法について説明すると、先ず図１に示すように、マンホール枠５の周囲の舗装路盤７を平面から見て円形、断面おわん状に切断１０した後、図２に示すように、マンホール枠５および蓋６並びに据付基礎４を含めて前記切断部分の内側全体を撤去することにより、空間Ｓを形成しておく。
【００１６】
その後、後述するマンホール枠設置具を用いた改修用マンホール枠の設置を行う。すなわち、図３および図４に示すように、マンホール枠設置具１２は、リング状の主体１３と、該主体１３の円周方向に等間隔をあけて設けられた３本の脚体１４と、主体１３の円周における対向位置に垂下状に形成されたマンホール枠支持部１５と、吊上げ用ロープ（図示略）を掛ける懸吊部３１とを有する。脚体１４はリング状の主体１３の上縁から斜め下方に伸びる形状となされ、その先端に延設された水平部１４ａには、下端に接地板１６が一体に設けられた蝶ネジ１７がネジ嵌合されている。マンホール枠支持部１５は全体が縦長の板状であって、その外面下端寄り部分にはマンホール枠を係止する爪部１８が突設されている。懸吊部３１は、主体１３の上縁における脚体１４の位置に対応して設けられている。マンホール枠設置具１２における接地板１６は、蝶ネジ１７を回すことで高さ位置（レベル）が変更される。
【００１７】
そして、前述したマンホール枠設置具１２を用いた改修用マンホール枠の設置要領について説明すると、図５に示すように、マンホール枠設置具１２におけるマンホール枠支持部１５の爪部１８に改修用マンホール枠２１の下面内縁を係止させた状態とし、次に、改修用マンホール枠２１の上縁２１ａと蝶ネジ１７の接地板１６とが同じ高さ位置となるように各蝶ネジ１７を回してレベル調整をしておく。
【００１８】
前記レベル調整後においては、図５に示すように、マンホール枠設置具１２の各懸吊部３１にロープ３２を結んでマンホール枠２１と共に設置具１２を懸吊用機械（図示略）で吊り上げ、次に、図６に示すように、舗装路盤７における空間Ｓの周縁部にマンホール枠設置具１２の脚体１４における蝶ネジ１７の接地板１６を置くだけで、前述したように、接地板１６とマンホール枠２１の上縁２１ａのレベル（高さ位置）は予め一致しているため、舗装路盤７の上面７ａとマンホール枠２１の上縁２１ａとのレベルが合うこととなる。なお、マンホール２の下枡３上には予め所定高さのスペーサー３３が設置され、スペーサー３３上に前記マンホール枠２１が着座する。その後、マンホール枠２１は、複数のアンカーボルト３４によって下枡３上に固定される。
【００１９】
そして、最終的には図７に示すように、マンホール枠設置具１２の撤去後において、マンホール枠２１と舗装路盤７との間にモルタル類２２および仕上げ舗装材２３を流し込み、仕上げ舗装材２３に転圧を施すことでマンホール枠２１の取替えが終了し、またマンホール枠２１に蓋２４を嵌め入れることで当該工事が完了する。
【００２０】
なお、本実施形態では、マンホール枠設置具１２において、蝶ネジ１７を回すことで接地板１６の高さ位置を調整することとしたが、例えばマンホール枠支持部１５の長さを調整し得るような構造とすることによって、マンホール枠２１の上縁２１ａと接地板１６との両高さ位置を調整するようにしても良い。
【産業上の利用可能性】
【００２１】
本発明の工法によれば、マンホールの枠および蓋の取替えが効率的に行えるため、幅広い利用が期待できる。
【図面の簡単な説明】
【００２２】
【図１】マンホールにおける枠周囲の道路を切断した状態を示す端面図である。
【図２】マンホールにおける枠および蓋等を撤去した状態を示す端面図である。
【図３】マンホール枠設置具の斜視図である。
【図４】マンホール枠設置具の平面図である。
【図５】マンホール枠設置具にマンホール枠が保持された状態を示す正面図である。
【図６】マンホール枠設置具を用いてマンホール枠をセットした状態を示す端面図である。
【図７】マンホール枠および蓋の取替え後の状態を示す端面図である。
【符号の説明】
【００２３】
２  マンホール
５  マンホール枠
６  マンホール蓋
１０  マンホール周囲の切断部
１２  マンホール枠設置具
１３  マンホール枠設置具の主体
１４  マンホール枠設置具の脚体
１５  マンホール枠設置具の枠支持部
１６  マンホール枠設置具の接地板
【図１】
2009024446.tif 000003
【図２】
2009024446.tif 000004
【図３】
2009024446.tif 000005
【図４】
2009024446.tif 000006
【図５】
2009024446.tif 000007
【図６】
2009024446.tif 000008
【図７】
2009024446.tif 000009